(57)【要約】【課題】施工性を良好にしつつ、施工コストの低減を図ることができるブランチケーブル、及び、このブランチケーブルを備えるトンネル照明システムを提供する。【解決手段】トンネル照明システム１は、ブランチケーブル２と、照明装置３とを備える。ブランチケーブル２は、幹線５と、分岐線６と、照度検出及び調光制御手段９とを備える。照度検出及び調光制御手段９は、トンネル内の所望の照度に応じた照明装置３の調光制御が必要な箇所に配置される。調光制御が必要な箇所は、トンネル内の照度に応じて複数設けられ且つ各箇所ごとに異なる数の照度検出及び調光制御手段９が配置される。【選択図】図１
2019192454.tif 000002
【特許請求の範囲】
【請求項１】
トンネル内の照明に用いられる複数の照明装置に電力を供給する幹線と、
該幹線から複数分岐して前記照明装置に接続され前記幹線にて供給された電力を前記照明装置へ分配する分岐線と、
前記トンネル内の照度を検出し且つ検出した該トンネル内の照度に基づいて前記照明装置を調光制御する照度検出及び調光制御手段と、
を備え、
該照度検出及び調光制御手段は、
前記トンネル内の所望の照度に応じた前記照明装置の調光制御が必要な箇所に配置してなる
ことを特徴とするブランチケーブル。
【請求項２】
請求項１に記載のブランチケーブルにおいて、
前記調光制御が必要な箇所は、
前記トンネル内の照度に応じて複数設けられ且つ各箇所ごとに異なる数の前記照度検出及び調光制御手段が配置される
ことを特徴とするブランチケーブル。
【請求項３】
請求項１又は２に記載のブランチケーブルにおいて、
前記照度検出及び調光制御手段は、
前記照明装置と前記分岐線との接続部に設けてなる
ことを特徴とするブランチケーブル。
【請求項４】
請求項１、２又は３に記載のブランチケーブルと、
該ブランチケーブルに接続され且つ前記トンネル内に設けられる複数の照明装置と、
を備える
ことを特徴とするトンネル照明システム。
【発明の詳細な説明】
【技術分野】
【０００１】
本発明は、トンネルの低圧配線に用いられるブランチケーブル、及び、このブランチケーブルを備えるトンネル照明システムに関する。
【背景技術】
【０００２】
従来、例えば、トンネル外の照度によりトンネル内に設けられた照明装置の調光を行うトンネル照明システムの技術としては、例えば、図３に開示されているような技術が考えられている。図３に図示するトンネル照明システム１００は、ブランチケーブル１０１（１０１ａ〜１０１ｃ）と、トンネル内の照明に用いられる複数の照明装置１０２と、リレー制御１０９及びタイマー１１０を備える制御部１０３と、電源１０４等から構成されている。
【０００３】
ブランチケーブル１０１は、トンネル内に配線（敷設）された複数の幹線１０５と、幹線１０５それぞれから分岐し照明装置１０２に接続される分岐線１０６とを備えている。図３において、引用符号１０７は、幹線１０５から分岐線１０６を分岐する分岐部、引用符号１０８は、照明装置１０２と分岐線１０６との接続箇所である接続部である。トンネル内に設けられる照明装置１０２の数は、トンネルの入口・出口付近やトンネルの中間において異なっている。照明装置１０２を点灯する数は、リレー制御１０９とタイマー１１０により制御されている。上記制御は、例えば、表１に示すように、昼間の明るい時間帯、早朝・夕方の薄暗い時間帯、夜間の真っ暗な時間帯等のトンネル外の明るさに合わせて行われている。
【０００４】
【表１】
2019192454.tif 000003
【０００５】
表１に示すように、リレー制御１０９ａは、昼間、早朝・夕方においてＯＦＦになり、リレー制御１０９ｂは、昼間においてＯＦＦになり、リレー制御１０９ｃは、夜間、昼間、早朝・夕方すべてにおいてＯＮになる。
【０００６】
しかしながら、トンネル照明システム１００では、図３に図示するように、ブランチケーブル１０１を複数配線する必要があり、ブランチケーブル１０１の配線（敷設）作業に係る施工性に問題があった。
【０００７】
そこで、図３に図示するトンネル照明システム１００に替えて、特許文献１の図１０に開示されているような照明装置を備えるトンネル照明システムの技術を用いることが考えられる。特許文献１の図１０に開示された照明装置は、照度センサと、照度センサからの検出信号に基づいて調光制御する調光制御部とを備えている。
【先行技術文献】
【特許文献】
【０００８】
【特許文献１】特開２０１０−６７３９２号公報
【発明の概要】
【発明が解決しようとする課題】
【０００９】
ところで、従来技術では、照度センサからの検出信号に基づいて照明装置を調光制御するため、トンネル内に幹線を１本配線するだけで済む。したがって、図３に図示するトンネル照明システム１００に比べてブランチケーブルの配線（敷設）作業に係る施工性は向上する。しかしながら、トンネル内に設けるすべての照明装置を特許文献１のような調光制御可能なものにする必要があり、施工コストが嵩んでしまうという問題点があった。
【００１０】
本発明は、上記した事情に鑑みてなされたもので、施工性を良好にしつつ、施工コストの低減を図ることができるブランチケーブル、及び、このブランチケーブルを備えるトンネル照明システムを提供することを課題とする。
【課題を解決するための手段】
【００１１】
上記課題を解決するためになされた請求項１記載の本発明のブランチケーブルは、トンネル内の照明に用いられる複数の照明装置に電力を供給する幹線と、該幹線から複数分岐して前記照明装置に接続され前記幹線にて供給された電力を前記照明装置へ分配する分岐線と、前記トンネル内の照度を検出し且つ検出した該トンネル内の照度に基づいて前記照明装置を調光制御する照度検出及び調光制御手段と、を備え、該照度検出及び調光制御手段は、前記トンネル内の所望の照度に応じた前記照明装置の調光制御が必要な箇所に配置してなることを特徴とする。
【００１２】
このような特徴を有する本発明によれば、照度検出及び調光制御手段がトンネル内の所望の照度に応じた照明装置の調光制御が必要な箇所に配置されることから、照明装置が設けられるすべての箇所に照度検出及び調光制御手段を配置しなくて済むようになる。
【００１３】
請求項２記載の本発明のブランチケーブルは、請求項１に記載のブランチケーブルにおいて、前記調光制御が必要な箇所は、前記トンネル内の照度に応じて複数設けられ且つ各箇所ごとに異なる数の前記照度検出及び調光制御手段が配置されることを特徴とする。
【００１４】
このような特徴を有する本発明によれば、調光制御が必要な箇所がトンネル内の照度に応じて複数設けられ、調光制御が必要な各箇所ごとに異なる数の照度検出及び調光制御手段が配置されることから、各箇所ごとの所望の照度に応じて照明装置が調光制御される。
【００１５】
請求項３記載の本発明のブランチケーブルは、請求項１又は２に記載のブランチケーブルにおいて、前記照度検出及び調光制御手段は、前記照明装置と前記分岐線との接続部に設けてなることを特徴とする。
【００１６】
このような特徴を有する本発明によれば、照度検出及び調光制御手段が照明装置と分岐線との接続部に設けられることから、照度検出機能及び調光制御機能を備えた照明装置を用いなくてもトンネル内の照度を検出し検出した照度に基づいて照明装置を調光制御することができる。
【００１７】
請求項４記載の本発明のトンネル照明システムは、請求項１、２又は３に記載のブランチケーブルと、該ブランチケーブルに接続され且つ前記トンネル内に設けられる複数の照明装置と、を備えることを特徴とする。
【００１８】
このような特徴を有する本発明によれば、請求項１、２又は３に記載のブランチケーブルを採用するトンネル照明システムになる。
【発明の効果】
【００１９】
本発明によれば、照明装置が設けられるすべての箇所に照度検出及び調光制御手段を配置しなくて済むようになり、また、調光制御が必要な各箇所ごとの所望の照度に応じて照明装置が調光制御され、また、照度検出機能及び調光制御機能を備えた照明装置を用いなくてもトンネル内の照度を検出し検出した照度に基づいて照明装置を調光制御することができることから、従来技術に比べ、施工性を良好にしつつ施工コストの低減を図ることができるという効果を奏する。
【図面の簡単な説明】
【００２０】
【図１】本発明のトンネル照明システムの実施例を示す概略図である。
【図２】トンネル距離―トンネル内の照度を示すグラフである。
【図３】従来例を示す図である。
【発明を実施するための形態】
【００２１】
以下、図１及び図２を参照しながら、本発明に係るブランチケーブル、及び、このブランチケーブルを備えるトンネル照明システムの実施例について説明する。
【実施例】
【００２２】
図１は本発明のトンネル照明システムの実施例を示す概略図、図２はトンネル距離―トンネル内の照度を示すグラフである。
【００２３】
図１において、引用符号１は、本発明に係るトンネル照明システムの実施例を示している。トンネル照明システム１は、図示しないトンネル（図示せず）内に設けられた照明装置３にてトンネル内を照明するシステムである。トンネル照明システム１は、ブランチケーブル２と、複数の照明装置３とを備えている。以下、トンネル照明システム１の各構成について説明する。
【００２４】
まず、ブランチケーブル２について説明する。
ブランチケーブル２は、本実施例においては、トンネルの低圧配線に用いられるものである。ブランチケーブル２は、分岐付ケーブルとも呼ばれるものである。ブランチケーブル２は、図１に図示するように、幹線５と、複数の分岐線６とを備えている。図１において、引用符号７は、分岐部を、引用符号８は、接続部を、引用符号９は、照度検出及び調光制御手段を、それぞれ示している。接続部８は、後に詳細に説明するが、照度検出及び調光制御手段９を備えるもの（照度検出及び調光制御手段付き接続部８ａ）と、照度検出及び調光制御手段９を備えないもの（通常の接続部８ｂ）とがある。
【００２５】
幹線５は、図１に図示するように、電源４から供給された電力を複数の照明装置３に供給するための導電路である。本実施例において、幹線５は、トンネル内に１本配線（敷設）されるものとする。幹線５は、特に図示しないが、分岐線６を分岐させたい箇所に幹線側導体露出部が形成されている。幹線側導体露出部は、分岐線６を分岐させたい箇所における絶縁被覆を適宜長さで除去（皮むき）することにより形成されている。
【００２６】
分岐線６は、図１に図示するように、幹線５から複数分岐して照明装置３に接続され幹線５にて供給された電力を照明装置３へ分配するための導電路である。分岐線６は、特に図示しないが、この両端に分岐線側導体露出部が形成されている。分岐線側導体露出部は、分岐線６の端末における絶縁被覆を適宜長さで除去（皮むき）することにより形成されている。
【００２７】
分岐部７は、図１に図示するように、幹線５から分岐線６が分岐する部分である。分岐部７は、図１に図示するように、接続部分１０と、絶縁処理部１１とを備えている。接続部分１０は、一方の分岐線側導体露出部を幹線側導体露出部に重ね合わせた後に、これらを図示しない溶接電極で挟み込んで加圧しながら電流を流すことにより（抵抗溶接により）形成されている。接続部分１０は、上記方法にて形成されるものに限定されるものではない。接続部分１０は、その他の公知の方法にて形成されるものであてもよいものとする。絶縁処理部１１は、接続部分１０を覆うようにして形成されている。具体的には、塩化ビニール樹脂、ポリエチレン等を用いたモールド成形により形成されている。
【００２８】
接続部８は、図１に図示するように、分岐線６と、照明装置３から導出される電力線１２とが接続される部分である。接続部８は、図１に図示するように、照度検出及び調光制御手段９を備える接続部８（照度検出及び調光制御手段付き接続部８ａ）と、照度検出及び調光制御手段９を備えていない接続部８（通常の接続部８ｂ）の２種類がある。図１において、照度検出及び調光制御手段付き接続部８ａは、黒丸で図示し、通常の接続部８ｂは、白丸で図示するものとする。
【００２９】
照度検出及び調光制御手段９は、トンネル内の照度を検出し且つ検出したトンネル内の照度に基づいて照明装置３を調光制御する装置である。照度検出及び調光制御手段９は、特に図示しないが、照度検出部と、調光制御部とを備えている。照度検出部は、トンネル内の照度を検出する所謂照度センサであり、例えば、フォトダイオードが用いられている。調光制御部は、照度検出部にて検出したトンネル内の照度に基づいて照明装置３を調光制御するものであり、例えば、サイリスタ調光器が用いられている。
【００３０】
照度検出及び調光制御手段９は、トンネル内の所望の照度に応じた照明装置３の調光制御が必要な箇所に配置されている。ここで、「トンネル内の所望の照度」とは、トンネル内の必要な照度をいう。以下、「トンネル内の所望の照度」を、適宜、「トンネル内の必要な照度」、又は、「トンネル内の必要照度」と読み替えてもよいものとする。また、以下、「トンネル内の所望の照度に応じた照明装置の調光制御が必要な箇所」を、適宜、「調光制御が必要な箇所」と略してもよいものとする。上記調光制御が必要な箇所は、後に詳細に説明するが、トンネル内の照度に応じて複数設けられている。上記調光制御が必要な箇所は、各箇所ごとに異なる数の照度検出及び調光制御手段９（照度検出及び調光制御手段付き接続部８ａ）が配置されている。照度検出及び調光制御手段９は、図１に図示するように、トンネルの出入口付近と、トンネル中間とで、配置される数が異なっている。
【００３１】
つぎに、複数の照明装置３について説明する。
照明装置３は、トンネル内に設けられ、トンネル内の照明に用いられるものである。照明装置３は、図１に図示するように、電力線１２が導出されており、この電力線１２を介して分岐線６に接続されている。照明装置３は、詳細な説明を省略するが、照度検出機能及び調光制御機能を備えていない照明装置であるものとする。
【００３２】
つぎに、照度検出及び調光制御手段９の配置作業について説明する。
まず、ブランチケーブル２の敷設（配線）作業者は、ブランチケーブル２の設計時のトンネルの距離と、照明装置３の位置情報とから、図２に図示するように、昼間、早朝・夕方、及び、夜間におけるトンネル内の照度を推定する。しかる後、昼間、早朝・夕方、及び、夜間におけるトンネル内の各照度と、トンネル内の必要照度とから、トンネル内を、図２に図示するように、複数の区間Ａ〜Ｃに区分けする。
【００３３】
区間Ａは、図２に図示するように、トンネル内に２つ設けられている。一方の区間Ａは、図２に図示するように、トンネル内の必要照度を表す線の軸方向左端から交点Ｘ１までの区間である。他方の区間Ａは、図２に図示するように、交点Ｘ２からトンネル内の必要照度を表す線の軸方向右端までの区間である。交点Ｘ１、Ｘ２は、それぞれ、早朝・夕方におけるトンネル内の照度を表す線と、トンネル内の必要照度を表す線との交点である。
【００３４】
区間Ｂは、図２に図示するように、トンネル内に２つ設けられている。一方の区間Ｂは、図２に図示するように、交点Ｘ１から交点Ｙ１までの区間である。他方の区間Ｂは、図２に図示するように、Ｙ２から交点Ｘ２までの区間である。交点Ｙ１、Ｙ２は、それぞれ、昼間におけるトンネル内の照度を表す線と、トンネル内の必要照度を表す線との交点である。
【００３５】
区間Ｃは、図２に図示するように、トンネル内に１つ設けられている。区間Ｃは、図２に図示するように、交点Ｙ１から交点Ｙ２までの区間である。
【００３６】
ここで、表２に基づいて、区間Ａ〜Ｃごとの接続部８（照度検出及び調光制御手段付き接続部８ａ）への照度検出及び調光制御手段９の取付率の一例を説明する。表２における「取付率」とは、接続部８（照度検出及び調光制御手段付き接続部８ａ）への照度検出及び調光制御手段９の取付率をいうものとする。
【００３７】
【表２】
2019192454.tif 000004
【００３８】
区間Ａでは、表２に示すように、昼間、及び、早朝・夕方ともに照明無しでもトンネル内の必要照度を満たし、夜間のみ照明が必要なため、接続部８（照度検出及び調光制御手段付き接続部８ａ）への照度検出及び調光制御手段９の取付率（以下、「取付率」という）は７５％とする。区間Ａでは、２５％の接続部８（通常の接続部８ｂ）に照度検出及び調光制御手段９が設けらないことから、この接続部８（通常の接続部８ｂ）にて分岐線６と接続される照明装置３は、常時、トンネル内の必要照度を満たすように照明する。
【００３９】
区間Ｂでは、表２に示すように、昼間は照明無しでもトンネル内の必要照度を満たすが、早朝・夕方、及び、夜間は照明が必要なため、取付率は５０％とする。区間Ｂでは、５０％の接続部８（通常の接続部８ｂ）に照度検出及び調光制御手段９が設けらないことから、この接続部８（通常の接続部８ｂ）にて分岐線６と接続される照明装置３は、常時、トンネル内の必要照度を満たすように照明する。
【００４０】
区間Ｃでは、表２に示すように、昼間、早朝・夕方、及び、夜間すべてにおいてトンネル内の必要照度に足りないため、取付率は０％とする。区間Ｃでは、残りの１００％の接続部８（通常の接続部８ｂ）に照度検出及び調光制御手段９が設けらないことから、この接続部８（通常の接続部８ｂ）にて分岐線６と接続される照明装置３は、常時、トンネル内の必要照度を満たすように照明する。
【００４１】
このように、本実施例によれば、照度検出及び調光制御手段９がトンネル内の所望の照度（トンネル内の必要照度）に応じた照明装置３の調光制御が必要な箇所に配置されることから、照明装置３が設けられるすべての箇所に照度検出及び調光制御手段９を配置しなくて済むようになる。
【００４２】
また、本実施例によれば、調光制御が必要な箇所がトンネル内の照度に応じて複数設けられ、調光制御が必要な各箇所ごとに異なる数の照度検出及び調光制御手段９が配置されることから、各箇所ごとの所望の照度に応じて照明装置３が調光制御される。
【００４３】
また、本実施例によれば、照度検出及び調光制御手段９が接続部８（照度検出及び調光制御手段付き接続部８ａ）に設けられることから、照度検出機能及び調光制御機能を備えた照明装置３を用いなくてもトンネル内の照度を検出し検出した照度に基づいて照明装置３を調光制御することができる。
【００４４】
つぎに、本実施例の効果について説明する。
以上、図１、図２、及び、表２を参照しながら説明してきたように、本実施例に係るブランチケーブル２によれば、照明装置３が設けられるすべての箇所に照度検出及び調光制御手段９を配置しなくて済むようになり、また、調光制御が必要な各箇所ごとの所望の照度に応じて照明装置３が調光制御され、また、照度検出機能及び調光制御機能を備えた照明装置３を用いなくてもトンネル内の照度を検出し検出した照度に基づいて照明装置３を調光制御することができることから、従来技術に比べ、施工性を良好にしつつ施工コストの低減を図ることができるという効果を奏する。
【００４５】
また、本実施例に係るトンネル照明システム１によれば、上記ブランチケーブル２を採用することから、上記ブランチケーブル２と同様の効果を奏する。
【００４６】
この他、本発明は本発明の主旨を変えない範囲で種々変更実施可能なことは勿論である。
【符号の説明】
【００４７】
１…トンネル照明システム、  ２…ブランチケーブル、  ３…照明装置、  ４…電源、  ５…幹線、  ６…分岐線、  ７…分岐部、  ８…接続部、  ８ａ…照度検出及び調光制御手段付き接続部、  ８ｂ…通常の接続部、  ９…照度検出及び調光制御手段、  １０…接続部分、  １１…絶縁処理部、  １２…電力線、  Ｘ１、Ｘ２、Ｙ１、Ｙ２…交点
【図１】
2019192454.tif 000005
【図２】
2019192454.tif 000006
【図３】
2019192454.tif 000007